(57)【要約】【課題】複雑に入り組んだ経路の先に充分な光を照射することができる携帯用光照射器を提供する。【解決手段】携帯用光照射器１１は、複雑に入り組んだ経路の先を照らすことができる携帯用光照射器であって、手で握るための握り部１２と、握り部１２の一方の端部１４ａから線状に突出して延び、複雑経路内に差し込まれて屈曲しながら複雑経路の先にまで到達し得るフレキシブル線状体２２と、フレキシブル線状体２２の先端２４に設けられた発光部２５と、握り部１２の内部に設けられる電源部と、フレキシブル線状体２２に設けられ、電源部と発光部２５とを接続する電線とを備える。上記の発光部２５は、周囲に光を放つように配置された複数個の発光ダイオード２６と、前記複数個の発光ダイオード２６のうちの一部に対面するように配置され、対面した発光ダイオードから放たれた光を所定方向に向ける反射板２８とを有する。【選択図】図１
0003140331.tif 000002
【実用新案登録請求の範囲】
【請求項１】
複雑に入り組んだ経路の先を照らすことができる携帯用光照射器であって、
手で握るための握り部と、
前記握り部の一方の端部から線状に突出して延び、前記複雑経路内に差し込まれて屈曲しながら複雑経路の先にまで到達し得るフレキシブル線状体と、
前記フレキシブル線状体の先端に設けられた発光部と、
前記握り部の内部に設けられる電源部と、
前記フレキシブル線状体に設けられ、前記電源部と前記発光部とを接続する電線とを備え、
前記発光部は、周囲に光を放つように配置された複数個の発光ダイオードと、前記複数個の発光ダイオードのうちの一部に対面するように配置され、対面した発光ダイオードから放たれた光を所定方向に向ける反射板とを有する、携帯用光照射器。
【請求項２】
前記発光部は、前記フレキシブル線状体の先端からさらに直線状に延出した形状であり、
前記発光ダイオードは、発光部の長手方向に複数個配置されて縦列を形成するとともに、この縦列を周方向に間隔をあけて複数対作るように配置されており、
前記反射板は、発光部の長手方向に延在するよう発光部に取り付けられて、発光部の長手方向に対し直角方向に発光ダイオードから放たれた光を向ける、請求項１に記載の携帯用光照射器。
【請求項３】
前記反射板は、発光部から取り外し可能である、請求項１または２に記載の携帯用光照射器。  
【請求項４】
前記反射板は、発光部の中心軸線回りに回動可能である、請求項１または２に記載の携帯用光照射器。  
【請求項５】
前記発光部を点灯させるスイッチを備え、該スイッチは前記握り部に設けられている、請求項１〜４のいずれかに記載の携帯用光照射器。  
【考案の詳細な説明】
【技術分野】
【０００１】
この考案は、携帯用光照射器に関し、特に、複雑に入り組んだ経路の先を照らすことができる携帯用光照射器に関するものである。
【背景技術】
【０００２】
比較的狭い範囲で細かな作業を行なうには、作業性の向上の観点から、ライトで作業場所を照らしながら作業を行なう。このような場合に使用される携帯用の小型のライトとして、本出願人は実用新案登録第３１３４４７７号公報（特許文献１）に開示される携帯用光照射器を既に出願した。
【０００３】
特許文献１に記載の携帯用光照射器は、手で握るための握り部と、握り部の一方の端部から線状に突出して延び、複雑経路内に差し込まれて屈曲しながら複雑経路の先にまで到達し得るフレキシブル線状体と、フレキシブル線状体の側面および先端に設けられた発光ダイオードと、握り部の内部に設けられる電源部と、フレキシブル線状体の内側に設けられ、電源部と発光ダイオードとを接続する電線とを備える。
【特許文献１】実用新案登録第３１３４４７７号公報（図１）
【考案の開示】
【考案が解決しようとする課題】
【０００４】
特許文献１によると、フレキシブル線状体の側面および先端に発光ダイオードが設けられているため、複雑に入り組んだ経路を万遍なく照らすことが可能である。しかしながら、フレキシブル線状体の側面に発光ダイオードを設けても、複雑経路の先を効果的に明るくすることができない。また、フレキシブル線状体の先端に設けられた発光ダイオードが１個のみであるため、作業者が特に細かな作業を行なう場合に、作業の対象となる部位を充分な光で照射することができないことが懸念される。
【０００５】
この考案の目的は、複雑に入り組んだ経路のうち、作業の対象となる部位を充分に明るくすることができる携帯用光照射器を提供することである。
【課題を解決するための手段】
【０００６】
この考案に係る携帯用光照射器は、複雑に入り組んだ経路の先を照らすことができる携帯用光照射器である。ここで、携帯用光照射器は、手で握るための握り部と、握り部の一方の端部から線状に突出して延び、複雑経路内に差し込まれて屈曲しながら複雑経路の先にまで到達し得るフレキシブル線状体と、フレキシブル線状体の先端に設けられた発光部と、握り部の内部に設けられる電源部と、フレキシブル線状体に設けられ、電源部と発光部とを接続する電線とを備える。そして発光部は、周囲に光を放つように配置された複数個の発光ダイオードと、前記複数個の発光ダイオードのうちの一部に対面するように配置され、対面した発光ダイオードから放たれた光を所定方向に向ける反射板とを有する。
【０００７】
このような構成によれば、発光部に複数個の発光ダイオードを集中的に配設することから、発光部は充分な光を発する。作業者は先端に発光部が設けられたフレキシブル線状体を複雑経路に差し込み、握り部を押し進めて、フレキシブル線状体を屈曲させながら、複雑経路の先の作業対象部位に発光部を到達させることができる。発光部は、周囲に光を放つように配置された複数個の発光ダイオードを有する。これにより発光ダイオードから放たれた直接光が作業対象部位に直接到達し、作業対象部位を明るくすることができる。
【０００８】
また発光部は、発光ダイオードから放たれた光を所定方向に向ける反射板を有する。これにより発光ダイオードから放たれて反射板で反射された反射光も作業対象部位に到達し、作業対象部位を一層明るくすることができる。
【０００９】
したがってこの考案によれば、発光ダイオードから放たれた光が拡散しないよう照射することが可能となり、複雑に入り組んだ経路の先にある作業対象部位に向けて充分な光を照射することができ、作業対象部位を明るくせしめて作業することができる。
【００１０】
好ましくは、発光部はフレキシブル線状体との接続箇所からさらに直線状に延出した形状であり、発光ダイオードは発光部の長手方向に複数個配置されて縦列を形成するとともに、この縦列を周方向に間隔をあけて複数対作るように配置されており、反射板は発光部の長手方向に延在するよう発光部に取り付けられて、発光部の長手方向に対し直角方向に発光ダイオードの光を向ける。
【００１１】
このように構成することにより、作業者は、作業対象部位に充分な光を照射することが可能となり、作業対象部位を明るくせしめて作業することができる。
【００１２】
好ましくは、反射板は発光部から取り外し可能である。
【００１３】
このように構成することにより、作業者は、作業対象部位およびその周辺部位に充分な光を照射することが可能となる。
【００１４】
好ましくは、反射板は発光部の中心軸線回りに回動可能である。
【００１５】
このように構成することにより、作業者は、発光部２５から照射する光を、所望の方向にすることができる。
【００１６】
この携帯用光照射器は一実施形態に限定されるものではないが、好ましくは、発光部を点灯させるスイッチを備え、該スイッチは前記握り部に設けられている。
【００１７】
このように構成することにより、握り部を握りながら、発光ダイオードを点灯させることができる。したがって、取り扱い性を向上させることができる。
【考案の効果】
【００１８】
この考案によると、複雑に入り組んだ経路の先にある作業対象部位に光を照射する場合に、作業者は先端に発光部が設けられたフレキシブル線状体を複雑経路に差し込み、握り部を押し進めて、フレキシブル線状体を屈曲させながら、複雑経路の先の作業対象部位に発光部を到達させることができる。発光部は発光ダイオードの光を所定方向に向ける反射板を有するから、発光ダイオードの光が拡散しないよう所定方向に照射することが可能になる。これにより、複雑に入り組んだ経路の先にある作業対象部位に直接光および反射光を照射することができ、充分に明るくせしめて作業することができる。
【考案を実施するための最良の形態】
【００１９】
以下、この考案の実施の形態を、図面を参照して説明する。図１は、この考案の一実施形態に係る携帯用光照射器を示す図である。図２は、図１に示す携帯用光照射器を図１中の矢印II−II断面で切断した場合の拡大断面図である。図３は、図１に示す携帯用光照射器を、図１中の矢印ＩＩＩの方向から見た図である。図４は、図１に示す携帯用光照射器を屈曲させた状態を示す図である。
【００２０】
図１〜図４を参照して、携帯用光照射器１１は、複雑に入り組んだ経路の先を照らすことができる携帯用光照射器である。携帯用光照射器１１は、手で握るための握り部１２を備える。握り部１２は、短棒状であって、剛性を有する部材から構成されている。握り部１２の表面には、滑り止めとなる複数の突条になる凸部１３が設けられている。この複数の凸部１３により、握り部１２の握り易さを向上している。また、握り部１２の内部には、電源部（図示せず）が設けられており、リチウム電池が内蔵されている。
【００２１】
握り部１２の一方の端部１４ａには、端部１４ａから線状に突出して延びるフレキシブル線状体２２が設けられている。
【００２２】
握り部１２の他方の端部１４ｂの端面には、別途準備される充電用アダプター１８の端子１９を差し込むソケット１７が設けられている。このソケット１７に充電用アダプター１８の端子１９を差し込み、電源部を充電することができる。
【００２３】
フレキシブル線状体２２は、短棒状の握り部１２よりも長く、かつ、細く構成されている。フレキシブル線状体２２は可撓性部材で形成され、図４に示すように屈曲可能である。
【００２４】
好ましくは、フレキシブル線状体２２は塑性変形する部材である。これにより、フレキシブル線状体２２に外力が作用して図４に例示するように一旦屈曲すると、その後に当該外力が解消しても当該屈曲した形態を保持する。そして、別な外力がフレキシブル線状体２２に新たに作用すれば、フレキシブル線状体２２は別な形態に屈曲するのである。
【００２５】
この結果、フレキシブル線状体２２は、上記した複雑経路内に差し込まれた場合に、複雑経路の先までフレキシブル線状体２２の先端２４を到達させることができる。
【００２６】
フレキシブル線状体２２の先端２４には、発光部２５が設けられている。発光部２５は、周囲に光を放つように配置された複数個の発光ダイオード２６を有し、これらの発光ダイオード２６を包囲する透明カバー２７で覆われている。各発光ダイオード２６自体は公知のものであり、発光部２５に植設されて、植設されていない側に向けて光を放つ。この光の向きは、植設されていない側にある仮想半球面に対して直角方向、すなわち無数方向に光を放つことから、周囲に光を放つものと理解されたい。
【００２７】
また発光部２５は、反射板２８を有する。図２に示すように、反射板２８は透明カバー２７の全周のうちの一部円弧を覆うよう取り付けられている。反射板２８は前記複数個の発光ダイオードのうちの一部に対面するように配置され、対面した発光ダイオード２６から放たれた光を図２に矢印で示す所定方向に向ける役割を果たす。
【００２８】
図１に示すように、発光部２５は、フレキシブル線状体２２の先端２４からさらに直線状に延出した形状である。発光ダイオード２６は、発光部２５の長手方向に複数個配置されて縦列を形成する。縦列は、長手方向１列であってもよいが、一層の明るさを望むのであれば、複数列にするとよい。本実施形態では図２に示すように、周方向９０度等間隔にあけて４列２対である。
【００２９】
透明カバー２７は、発光部２５の長手方向に延在する中空円筒形状であり、透明カバー２７の一方端２７ｂが、発光部２５とフレキシブル線状体２２とが接続する発光部２５の根元部に取り付けられる。透明カバー２７の他方端になる先端２７ａは、フレキシブル線状体２２から遠い側にある発光部２５の先端に至る。これにより透明カバー２７は、発光部２５の全周を包囲する。透明カバー２７の先端２７ａは端面を備え、発光部２５の先端を覆う。
【００３０】
反射板２８は、発光部２５の根元部から発光部２５の先端まで長手方向に延在するよう発光部２５の透明カバー２７の一部表面に取り付けられ、複数個の発光ダイオード２６のうちの一部に対面するように配置される。反射板２８は、透明カバー２７と略同じ径の凹曲面２８ｇを備える。凹曲面２８ｇは銀色あるいは白色等の光を透過しない反射材からなり、図２に矢印で示すように反射板２８は、発光ダイオード２６から放たれた光を発光部の長手方向に対し直角方向（図２中、下向き）に向ける。本実施形態の反射板２８は、４列ある発光ダイオード２６の縦列のうちの１列の外径側にあって、この１列と対面するように配置されるが、これに限定されるものではない。例えば、隣り合う２列の間にあって、これら２列と対面してもよいし、また、隣り合う３列以上の発光ダイオード２６の縦列の外径側にあって、これらの列と対面してもよい。
【００３１】
あるいは、反射板２８が、発光部２５から取り外し可能であってもよい。これにより、作業者は、作業対象部位およびその周辺に光を照射することができる。
【００３２】
あるいは、反射板２８が、長手方向に延びる発光部２５の中心軸線を中心として回動可能に、発光部２５に取り付けられていてもよい。この場合、反射板２８を、ある程度の回転抵抗を伴って発光部２５の根元部に係合させる。僅かな回転力が反射板２８に加わると、反射板２８は数度〜数十度回動する。これにより、作業者は、発光部２５から照射する光を、所望の方向にすることができる。
【００３３】
発光ダイオード２６は、フレキシブル線状体２２に沿って、線状体２２の内部に設けられる電線（図示せず）によって、握り部１２の内部に設けられた電源部に接続されている。発光ダイオード２６は、電線を介して電源部から電気を供給される。これにより、発光ダイオード２６は点灯し、フレキシブル線状体２２の先端２４およびその周辺に光を照射することができる。
【００３４】
握り部１２には、発光ダイオード２６を点灯させるため、すなわち、電源部から発光部２５に電気を供給するためのスイッチ１６が設けられている。スイッチ１６は、押しボタン式であり、握り部１２の一方の端部１４ａ側に設けられている。具体的には、スイッチ１６は、作業者が握り部１２を手で握った際に、親指で押すことができる位置に設けられている。なお、スイッチ１６には、防水処理が施されている。
【００３５】
ここで、上記構成の携帯用光照射器１１を使用して、自動車のエンジンルーム内等、複雑で入り組んだ経路の先を照らす方法について説明する。まず、作業者は、手で握り部１２を握り、フレキシブル線状体２２の先端にある発光部２５を複雑に入り組んだ経路の入口に配置させる。次に、握り部１２を押し進める。そうすると、フレキシブル線状体２２は複雑経路内に差し込まれ、屈曲しながら複雑経路の形状に沿って押し進められる。この結果、容易に発光部２５を複雑経路の先に到達させることができる。そして、発光部２５が複雑経路の先にある作業対象部位に到達した状態で、握り部１２に設けられたスイッチ１６を押し、握り部１２の内部に設けられた電源部から電線を通じて発光部２５の発光ダイオード２６に通電することにより、発光部２５の周囲を照らすことが可能になり、発光ダイオード２６から放たれた直接光を作業の対象となる部位に照射し得て明るくすることができる。
【００３６】
さらに発光部２５は反射板２８を有していることから、発光ダイオード２６から放たれて反射板２８で所定方向に向けられた反射光を作業対象部位に照射し得て明るくすることができる。これら直接光および反射光によって作業対象部位を効果的に明るくすることができる。その結果、このような携帯用光照射器１１は、自動車のエンジンルーム内等、複雑に入り組んだ経路の先を適切に照らすことができる。
【００３７】
このような構成によると、例えば、小さい穴からフレキシブル線状体２２を差し込んで、握り部１２を押し進め、フレキシブル線状体２２を屈曲させながら、複雑経路の先にフレキシブル線状体２２の先端２４を到達させることができる。さらに、このような携帯用光照射器１１は、作業者の目線と異なる角度から照らすことができるため、作業者が眩しくない。したがって、作業性を向上することができる。この場合、リチウム電池が電源部に内蔵されており、コードレスで、かつ、軽量であるため、作業性は良好である。
【００３８】
また、発光部２５を点灯させるスイッチ１６は、握り部１２に設けられているため、握り部１２を握りながら、発光部２５を点灯させることができる。したがって、取り扱い性を向上させることができる。
【００３９】
また、電線２０を介して接続された充電用アダプター１８の端子１９をソケット１７に挿入し、充電用アダプター１８のプラグ２１をコンセント（図示せず）に差し込んで電源部を充電することができる。
【００４０】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００４１】
この考案は、自動車のエンジンルーム等において、複雑に入り組んだ経路の先を適切に照らしたい場合に、有効に利用される。
【図面の簡単な説明】
【００４２】
【図１】この考案の一実施形態に係る携帯用光照射器を示す図である。
【図２】図１に示す携帯用光照射器を、図１中の矢印ＩＩ−ＩＩ断面で切断した場合の拡大断面図である。
【図３】図１に示す携帯用光照射器を図１中の矢印ＩＩＩの方向から見た拡大図である。
【図４】図１に示す携帯用光照射器を屈曲させた状態を示す図である。
【符号の説明】
【００４３】
１１  携帯用光照射器、１２  握り部、１３  凸部、１４ａ，１４ｂ  握り部の端部、１６  スイッチ、１７  ソケット、１８  充電用アダプター、１９  端子、２０  電線、２１  プラグ、２２  フレキシブル線状体、２４  先端、２５  発光部、２６  発光ダイオード、２７  透明カバー、２８  反射板
【図１】
0003140331.tif 000003
【図２】
0003140331.tif 000004
【図３】
0003140331.tif 000005
【図４】
0003140331.tif 000006